(57)【要約】【課題】コストを抑えつつも、効率良く放充電を行うことが目的とされる。【解決手段】放充電装置１は、被充電部１２、制御用電源部１１、ＮＰＮトランジスタＴｒ１，Ｔｒ２及び抵抗Ｒ１〜Ｒ３を備える。被充電部１２は、端子１２１，１２２を有し、端子１２１に基準電位を与え、端子１２２に基準電位よりも高い電位を与えて充電される。制御用電源部１１は、その入力端子１１１，１２１がそれぞれ端子１２１，１２２に接続され、出力端子１１４に基準電位以上の電位を出力する。ＮＰＮトランジスタＴｒ１は、コレクタが抵抗Ｒ１を介して端子１２２に、エミッタが端子１２１に、ベースが抵抗Ｒ３を介して出力端子１１４にそれぞれ接続される。ＮＰＮトランジスタＴｒ２は、コレクタが抵抗Ｒ２を介して端子１２２に、エミッタが端子１２１に、ベースがＮＰＮトランジスタＴｒ１のコレクタにそれぞれ接続される。【選択図】図１
2007006659.tif 000002
【特許請求の範囲】
【請求項１】
一対の端子（１２１，１２２）を有し、その一方（１２１）に基準電位を与え、他方（１２２）に前記基準電位よりも高い電位を与えて充電される被充電部（１２）と、
前記一対の前記端子に接続される一対の入力端子（１１１，１１２）と、一対の出力端子（１１３，１１４）とを有し、前記出力端子の一方（１１４）に前記基準電位以上の電位を出力する電源部（１１）と、
第１の抵抗（Ｒ１）と、
前記第１の抵抗を介して前記端子の前記他方（１２２）に接続されるコレクタ端子（Ｃ）と、前記端子の前記一方（１２１）に接続されるエミッタ端子（Ｅ）と、前記出力端子の前記一方（１１４）に接続されるベース端子（Ｂ）とを有する第１のＮＰＮトランジスタ（Ｔｒ１）と、
前記端子の前記他方（１２２）に接続されるコレクタ端子（Ｃ）と、前記端子の前記一方（１２１）に接続されるエミッタ端子（Ｅ）と、前記第１のＮＰＮトランジスタの前記コレクタ端子に接続されるベース端子（Ｂ）とを有する第２のＮＰＮトランジスタ（Ｔｒ２）と
を備える、放充電装置。
【請求項２】
前記第１のＮＰＮトランジスタ（Ｔｒ１）の前記ベース端子（Ｂ）と、前記出力端子の前記一方（１１４）との間に接続される第３の抵抗（Ｒ３）と、
前記第１のＮＰＮトランジスタの前記ベース端子と、前記出力端子の他方（１１３）との間に接続される第４の抵抗（Ｒ４）と
を更に備える、請求項１記載の放充電装置。
【請求項３】
前記第２のＮＰＮトランジスタ（Ｔｒ２）の前記コレクタ端子（Ｃ）と、前記端子の前記他方（１２２）との間に接続され、前記第１の抵抗（Ｒ１）よりも抵抗値が小さい第２の抵抗（Ｒ２）を更に備える、請求項１または請求項２記載の放充電装置。
【請求項４】
第２の抵抗（Ｒ２）の抵抗値は、第１の抵抗（Ｒ１）の抵抗値の１００分の１以下である、請求項３記載の放充電装置。
【請求項５】
請求項１乃至請求項４のいずれか一つに記載の放充電装置（１）と、
入力された交流電圧を直流電圧（Ｖｔ）に変換し、前記直流電圧を前記一対の端子（１２１，１２２）に印加するコンバータ（２）と、
前記放充電装置を介して前記直流電圧が入力され、前記直流電圧を所望の交流電圧に変換して出力するインバータ（３）と
を備える、電圧変換装置。
【発明の詳細な説明】
【技術分野】
【０００１】
本発明は放充電装置及び電圧変換装置に関し、例えば空調機に適用することができる。
【背景技術】
【０００２】
空調機や汎用インバータなどに用いられる電圧変換装置には、電圧を平滑化するために大容量のコンデンサが設けられている。メンテナンス時の便宜のため、コンデンサの両端の間に放電抵抗を設けることで、電圧供給が停止している場合にコンデンサを放電させていた。
【０００３】
なお、本発明に関連する技術を以下に示す。
【０００４】
【特許文献１】特開平６−２８４６０２号公報
【発明の開示】
【発明が解決しようとする課題】
【０００５】
電圧変換装置に電圧供給されている場合には、効率性の観点から放電抵抗での電力損失を小さくしたいので、当該抵抗の抵抗値は大きい方が良い。しかし、抵抗値を大きくすると、コンデンサを放電するための所要時間が長くなり、あまり望ましくない。
【０００６】
この解決手段として、例えば補助接点付きの電磁接触機を用いて、コンデンサの放電時に放電抵抗がコンデンサに接続される技術が上記特許文献１に紹介されている。しかし、補助接点付の電磁接触機は高価であり、コストが増大するのであまり望ましくない。
【０００７】
本発明は、上述した事情に鑑みてなされたものであり、コストを抑えつつも、効率良く放充電を行うことが目的とされる。
【課題を解決するための手段】
【０００８】
この発明の請求項１にかかる放充電装置は、一対の端子（１２１，１２２）を有し、その一方（１２１）に基準電位を与え、他方（１２２）に前記基準電位よりも高い電位を与えて充電される被充電部（１２）と、前記一対の前記端子に接続される一対の入力端子（１１１，１１２）と、一対の出力端子（１１３，１１４）とを有し、前記出力端子の一方（１１４）に前記基準電位以上の電位を出力する電源部（１１）と、第１の抵抗（Ｒ１）と、前記第１の抵抗を介して前記端子の前記他方（１２２）に接続されるコレクタ端子（Ｃ）と、前記端子の前記一方（１２１）に接続されるエミッタ端子（Ｅ）と、前記出力端子の前記一方（１１４）に接続されるベース端子（Ｂ）とを有する第１のＮＰＮトランジスタ（Ｔｒ１）と、前記端子の前記他方（１２２）に接続されるコレクタ端子（Ｃ）と、前記端子の前記一方（１２１）に接続されるエミッタ端子（Ｅ）と、前記第１のＮＰＮトランジスタの前記コレクタ端子に接続されるベース端子（Ｂ）とを有する第２のＮＰＮトランジスタ（Ｔｒ２）とを備える。
【０００９】
この発明の請求項２にかかる放充電装置は、請求項１記載の放充電装置であって、前記第１のＮＰＮトランジスタ（Ｔｒ１）の前記ベース端子（Ｂ）と、前記出力端子の前記一方（１１４）との間に接続される第３の抵抗（Ｒ３）と、前記第１のＮＰＮトランジスタの前記ベース端子と、前記出力端子の他方（１１３）との間に接続される第４の抵抗（Ｒ４）とを更に備える。
【００１０】
この発明の請求項３にかかる放充電装置は、請求項１または請求項２記載の放充電装置であって、前記第２のＮＰＮトランジスタ（Ｔｒ２）の前記コレクタ端子（Ｃ）と、前記端子の前記他方（１２２）との間に接続され、前記第１の抵抗（Ｒ１）よりも抵抗値が小さい第２の抵抗（Ｒ２）を更に備える。
【００１１】
この発明の請求項４にかかる放充電装置は、請求項３記載の放充電装置であって、第２の抵抗（Ｒ２）の抵抗値は、第１の抵抗（Ｒ１）の抵抗値の１００分の１以下である。
【００１２】
この発明の請求項５にかかる電圧変換装置は、請求項１乃至請求項４のいずれか一つに記載の放充電装置（１）と、入力された交流電圧を直流電圧（Ｖｔ）に変換し、前記直流電圧を前記一対の端子（１２１，１２２）に印加するコンバータ（２）と、前記放充電装置を介して前記直流電圧が入力され、前記直流電圧を所望の交流電圧に変換して出力するインバータ（３）とを備える。
【発明の効果】
【００１３】
この発明の請求項１にかかる放充電装置によれば、被充電部が充電されている場合には、電源部から出力端子の一方に基準電位よりも高い電位が出力され、ほぼこの電位が第１のＮＰＮトランジスタのベース端子に与えられるので、エミッタ端子の電位が基準電位である第１のＮＰＮトランジスタはＯＮする。このとき、第２のＮＰＮトランジスタのベース端子には電流がほとんど流れ込まないので、第２のＮＰＮトランジスタはＯＦＦする。よって、第１の抵抗の両端で、ほぼ被充電部の電圧を支える。第１の抵抗の抵抗値を大きくして、不要な電力の発生を低減することができる。
【００１４】
被充電部が放電される場合には、電源部から一方の出力端子に出力される電位が低下する。一方の出力端子の電位が所定の閾値まで低下すると第１のＮＰＮトランジスタはＯＦＦする。このとき、第１の抵抗の抵抗値が大きくても、第２のＮＰＮトランジスタのベース端子には少量の電流が流れ、第２のＮＰＮトランジスタがＯＮする。よって、被充電部は放電される。第２のＮＰＮトランジスタの増幅効果によりコレクタ端子に流れる電流が増大するので、迅速な放電が可能である。
【００１５】
この発明の請求項２にかかる放充電装置によれば、第１のＮＰＮトランジスタのベース端子に所望の電位を与えることができるので、被充電部の放電開始後、短時間で第１のＮＰＮトランジスタをＯＦＦすることができる。よって、被充電部の放電をより迅速に行うことが可能である。
【００１６】
この発明の請求項３にかかる放充電装置によれば、第２のＮＰＮトランジスタに許容される電力損失を小さくすることができる。
【００１７】
この発明の請求項４にかかる放充電装置によれば、被充電部の放電をより迅速に行うことができる。
【００１８】
この発明の請求項５にかかる電圧変換装置によれば、入力された交流電圧から所望の交流電圧を得ることができ、電圧変換終了後の放電が迅速でもある。
【発明を実施するための最良の形態】
【００１９】
第１の実施の形態．
＜電圧変換装置の構成＞
図１は、本実施の形態にかかる電圧変換装置を概念的に示す。電圧変換装置１０は、放充電装置１、コンバータ２、インバータ３及びインバータ制御部６を備える。電圧変換装置１０は、供給された交流電圧を所望の交流電圧に変換して出力する。図１では、電圧変換装置１０に交流電圧を供給する電源４と、出力された所望の交流電圧が供給されるモータ５も示されている。
【００２０】
コンバータ２は、一組の入力端子２１と一対の出力端子２２，２３とを有する。一組の入力端子２１には電源４が接続される。コンバータ２は、電源４から供給される交流電圧を直流電圧Ｖｔに変換する。図１では、３相交流電圧がコンバータ２に供給される場合が示されている。
【００２１】
放充電装置１は、被充電部１２、制御用電源部１１、ＮＰＮトランジスタＴｒ１，Ｔｒ２及び抵抗Ｒ１〜Ｒ３を備える。
【００２２】
被充電部１２は、例えばコンデンサであって、一対の端子１２１，１２２を有する。端子１２１，１２２は、それぞれコンバータ２の出力端子２２，２３に接続される。被充電部１２が充電される際には、端子１２１，１２２の間に直流電圧Ｖｔが印加される。このとき、端子１２１には基準電位が与えられ、端子１２２には基準電位よりも高い電位が与えられる。基準電位には例えばグランドが採用できる。
【００２３】
制御用電源部１１は、一対の入力端子１１１，１１２と、一対の出力端子１１３，１１４とを有する。入力端子１１１，１１２は、それぞれ被充電部１２の端子１２１，１２２に接続される。制御用電源部１１は、入力端子１１１，１１２の間に印加される電圧に基づいて、出力端子１１３，１１４の間に所定の電圧Ｖｃを出力する。このとき、出力端子１１４には基準電位以上の電位が出力される。
【００２４】
ＮＰＮトランジスタＴｒ１は、コレクタ端子Ｃが抵抗Ｒ１を介して被充電部１２の端子１２２に接続され、エミッタ端子Ｅが被充電部１２の端子１２１に接続され、ベース端子Ｂが抵抗Ｒ３を介して制御用電源部１１の出力端子１１４に接続される。
【００２５】
ＮＰＮトランジスタＴｒ２は、コレクタ端子Ｃが抵抗Ｒ２を介して被充電部１２の端子１２２に接続され、エミッタ端子Ｅが被充電部１２の端子１２１に接続され、ベース端子ＢがＮＰＮトランジスタＴｒ１のコレクタ端子Ｃに接続される。
【００２６】
抵抗Ｒ２は抵抗Ｒ１よりも抵抗値が小さい。
【００２７】
インバータ制御部６は、制御用電源部１１の出力端子１１３，１１４に接続され、制御用電源部１１から供給される所定の電圧Ｖｃによって駆動し、インバータ３の制御を行う。当該制御には、例えばＰＷＭ（Pulse Width Modulation）制御が採用できる。
【００２８】
インバータ３は、一対の入力端子３１，３２と、一組の出力端子３３とを有する。入力端子３１，３２は、それぞれ被充電部１２の端子１２１，１２２に接続されて直流電圧Ｖｔが供給される。インバータ３は、インバータ制御部６の制御によって直流電圧Ｖｔを所望の交流電圧に変換し、これを一組の出力端子３３に出力する。出力された所望の交流電圧は例えばモータ５に与えられる。図１では、所望の３相交流電圧が出力される場合が示されている。
【００２９】
インバータ３は、放充電装置１を介して直流電圧Ｖｔが入力され、その電圧Ｖｔを所望の交流電圧に変換して出力すると把握することができる。
【００３０】
上述した放充電装置１によれば、被充電部１２が充電されている場合には、制御用電源部１１から出力端子１１４に基準電位より高い電位が出力され、ほぼこの電位がＮＰＮトランジスタＴｒ１のベース端子Ｂに与えられる。ＮＰＮトランジスタＴｒ１は、そのエミッタ端子Ｅの電位が基準電位であるのでＯＮする。このとき、ＮＰＮトランジスタＴｒ２のベース端子Ｂには電流がほとんど流れ込まないので、ＮＰＮトランジスタＴｒ２はＯＦＦする。よって、抵抗Ｒ１の両端で、ほぼ被充電部１２の電圧Ｖｔを支える。抵抗Ｒ１の抵抗値を大きくして、不要な電力の発生を低減することができる。
【００３１】
被充電部１２が放電される場合には、制御用電源部１１から出力端子１１４に出力される電位が低下する。出力端子１１４の電位が所定の閾値まで低下するとＮＰＮトランジスタはＯＦＦする。このとき、抵抗Ｒ１の抵抗値が大きくても、ＮＰＮトランジスタＴｒ２のベース端子Ｂには少量の電流が流れ、ＮＰＮトランジスタＴｒ２はＯＮする。よって、被充電部１２は放電される。ＮＰＮトランジスタＴｒ２の増幅効果によりそのコレクタ端子Ｃに流れる電流が増大するので、迅速な放電が可能である。
【００３２】
なお、ＮＰＮトランジスタＴｒ１のベース端子Ｂは、抵抗Ｒ３を介さず直接に制御用電源部１１の出力端子１１４に接続されても良い。かかる態様であっても、上述した効果が得られる。
【００３３】
ＮＰＮトランジスタＴｒ２のコレクタ端子Ｃは、抵抗Ｒ２を介さず直接に被充電部１２の端子１２２に接続されても良い。かかる態様であっても、上述した効果が得られる。
【００３４】
一方で、エミッタ端子Ｅとコレクタ端子Ｃとの間に大量の電流が流れ、ＮＰＮトランジスタＴｒ２が破壊されるおそれがある。このため、許容される電力損失が大きいＮＰＮトランジスタＴｒ２を採用する必要がある。あるいは、ＮＰＮトランジスタＴｒ２に許容される電力損失を小さい場合であっても、ＮＰＮトランジスタＴｒ２のコレクタ端子側に抵抗Ｒ２を接続することで、ＮＰＮトランジスタＴｒ２の破壊を回避することができる。
【００３５】
ただし、抵抗Ｒ２の抵抗値は、抵抗Ｒ１の抵抗値の１００分の１以下であることが望ましい。被充電部１２の放電をより迅速に行うことができるからである。
【００３６】
本実施の形態にかかる電圧変換装置１０によれば、入力された交流電圧から所望の交流電圧を得ることができ、電圧変換終了後の放電を迅速に行うこともできる。
【００３７】
＜放充電装置の動作＞
図２を用いて放充電装置１の動作を具体的に説明する。まず、電源４がＯＮしている場合（時刻ｔ０〜ｔ１）、被充電部１２は充電されて、その端子１２１，１２２の間には２８０Ｖの電圧（以下、充電電圧という）Ｖｔが生じる。このとき、制御用電源部１１の出力端子１１３，１１４の間には５Ｖの電圧（以下、出力電圧という）Ｖｃが出力されて、ＮＰＮトランジスタＴｒ１はＯＮし、ＮＰＮトランジスタＴｒ２はＯＦＦする。
【００３８】
メンテナンスの便宜などのために時刻ｔ１で電源４がＯＦＦされると、出力電圧Ｖｃは低下し始める。出力電圧Ｖｃが所定の閾値Ｖｃ１まで低下すると（時刻ｔ２）、ＮＰＮトランジスタＴｒ１はＯＦＦし、ＮＰＮトランジスタＴｒ２はＯＮする。
【００３９】
時刻ｔ２からはＮＰＮトランジスタＴｒ２を介して放電が始まり、充電電圧Ｖｔが低下する。これに伴って、ＮＰＮトランジスタＴｒ２のベース端子Ｂに流れる電流量も低下する。そして、充電電圧Ｖｔが０Ｖ近傍まで低下すると、ＮＰＮトランジスタＴｒ２は、ＯＮでもＯＦＦでもない不定の状態になる（時刻ｔ３）。時刻ｔ３では、ＮＰＮトランジスタＴｒ１も同様に不定の状態になる。
【００４０】
例えば、メンテナンスを容易とする電圧、例えば５０Ｖ以下の電圧まで充電電圧Ｖｔが低下していれば、時刻ｔ３の前に放電を終了しても良い。この場合、ＮＰＮトランジスタＴｒ１，Ｔｒ２は不定の状態にならない。
【００４１】
メンテナンスが終了し、再び、電源４をＯＮすることで（時刻ｔ４）、交流電源が供給され、充電電圧Ｖｔが上昇し始める。これにより、ＮＰＮトランジスタＴｒ１，Ｔｒ２はいずれも不定の状態から脱する。しかも、出力電圧Ｖｃが上昇する。出力電圧Ｖｃが所定の閾値Ｖｃ２以上になると（時刻ｔ５〜）、ＮＰＮトランジスタＴｒ１はＯＮし、ＮＰＮトランジスタＴｒ２はＯＦＦする。
【００４２】
＜出力電圧Ｖｃの分圧＞
図３は、図１で示される電圧変換装置１０が更に抵抗Ｒ４を備える態様を示す。
【００４３】
抵抗Ｒ４は、ＮＰＮトランジスタＴｒ１のベース端子Ｂと、制御用電源部１１の出力端子１１３との間に接続される。すなわち、抵抗Ｒ４は、制御用電源部１１の出力端子１１３，１１４の間で抵抗Ｒ３と直列接続を構成し、抵抗Ｒ３との間にＮＰＮトランジスタＴｒ１のベース端子Ｂが接続されている。
【００４４】
かかる電圧変換装置１０によれば、被充電部１１の出力電圧Ｖｃが低下し始めてから短時間でＮＰＮトランジスタＴｒ１をＯＦＦすることができる。図２を用いて説明すれば、時刻ｔ１と時刻ｔ２との間隔を短縮することができる。よって、被充電部１２の放電をより迅速に行うことが可能である。
【００４５】
第２の実施の形態．
図４は、本実施の形態にかかる電圧変換装置を概念的に示す。図４には、図１で示される電圧変換装置１０についてＮＰＮトランジスタＴｒ１，Ｔｒ２及び抵抗Ｒ１〜Ｒ３に代えて、ＰＮＰトランジスタＴｒ３，ツェナーダイオードＤｉ１及び抵抗Ｒ５〜Ｒ８を備えたものが示されている。
【００４６】
ＰＮＰトランジスタＴｒ３は、コレクタ端子Ｃが被充電部１２の端子１２１に接続され、エミッタ端子Ｅが抵抗Ｒ５を介して被充電部１２の端子１２２に接続され、ベース端子Ｂが抵抗Ｒ８とツェナーダイオードＤｉ１とをこの順に介して制御用電源部１１の出力端子１１４に接続される。なお、ツェナーダイオードＤｉ１は、そのカソードが抵抗Ｒ８側に接続される。
【００４７】
抵抗Ｒ６は、その端子の一方が被充電部１２の端子１２２に接続され、他方がＰＮＰトランジスタＴｒ３のベース端子Ｂと抵抗Ｒ８との間に接続される。抵抗Ｒ６は、被充電部１２の端子１２２と制御用電源部１１の出力端子１１４との間で、抵抗Ｒ８と直列接続を構成する。よって、当該直列接続の両端にかかる電圧を分圧して、ＰＮＰトランジスタＴｒ３のベース端子Ｂに所望の電位を与えることができる。
【００４８】
抵抗Ｒ７は、その端子の一方が被充電部１２の端子１２２に接続され、他方が抵抗Ｒ８とツェナーダイオードＤｉ１との間に接続される。抵抗Ｒ７の抵抗値によって、ツェナーダイオードＤｉ１に流れる電流を調節することができる。
【００４９】
かかる電圧変換装置１０によれば、被充電部１２が充電されている場合にはＰＮＰトランジスタＴｒ３をＯＦＦし、被充電部１２が放電される場合にはＰＮＰトランジスタＴｒ３をＯＮすることができる。よって、充電時には不要な電力の発生を低減し、放電時には迅速に被充電部１２の電圧を低下させることができる。
【００５０】
ツェナーダイオードＤｉ１の両端には所定の電位差が保持されるので、被充電部１２の放電終了後であっても、端子１２１，１２２の間には所定の電位差が生じたままである。よって、所定の電位差には、例えばメンテナンスを容易とする電位差、例えば５０Ｖ以下の電位差を採用することが望ましい。
【００５１】
第３の実施の形態．
図５は、本実施の形態にかかる電圧変換装置を概念的に示す。図５には、図１で示される電圧変換装置１０についてＮＰＮトランジスタＴｒ１，Ｔｒ２及び抵抗Ｒ１〜Ｒ３に代えて、ＰＮＰトランジスタＴｒ４，Ｔｒ５，ツェナーダイオードＤｉ２及び抵抗Ｒ９〜Ｒ１４を備えたものが示されている。
【００５２】
ＰＮＰトランジスタＴｒ４は、コレクタ端子Ｃが被充電部１２の端子１２１に接続され、エミッタ端子Ｅが抵抗Ｒ１３，Ｒ１１をこの順に介して被充電部１２の端子１２２に接続され、ベース端子Ｂが抵抗Ｒ１４を介して制御用電源部１１の出力端子１１４に接続される。
【００５３】
ＰＮＰトランジスタＴｒ５は、コレクタ端子Ｃが被充電部１２の端子１２１に接続され、エミッタ端子Ｅが抵抗Ｒ９を介して被充電部１２の端子１２２に接続され、ベース端子Ｂが抵抗Ｒ１２，Ｒ１３をこの順に介してＰＮＰトランジスタＴｒ４のエミッタ端子Ｅに接続される。
【００５４】
抵抗Ｒ１０は、その端子の一方が被充電部１２の端子１２２に接続され、他方がＰＮＰトランジスタＴｒ５のベース端子Ｂと抵抗Ｒ１２との間に接続される。抵抗Ｒ１０は、ＰＮＰトランジスタＴｒ４のエミッタ端子Ｅと被充電部１２の端子１２２との間で、抵抗Ｒ１２と直列接続を構成する。よって、当該直列接続の両端にかかる電圧を分圧して、ＰＮＰトランジスタＴｒ５のベース端子Ｂに所望の電位を与えることができる。
【００５５】
ツェナーダイオードＤｉ２は、アノードがＰＮＰトランジスタＴｒ４のコレクタ端子Ｃに、カソードがＰＮＰトランジスタＴｒ４のエミッタ端子Ｅにそれぞれ接続され、エミッタ端子Ｅとコレクタ端子Ｃとの間に所定の電位差を保持する。ツェナーダイオードＤｉ２が保持できる所定の電位差は、制御用電源部１１から出力される出力電圧Ｖｃの最大値以下である。
【００５６】
かかる電圧変換装置１０によれば、被充電部１２が充電されている場合には、ＰＮＰトランジスタＴｒ４のベース端子Ｂの電位が、エミッタ端子Ｅとほぼ同じであるか、またはエミッタ端子Ｅよりも高いので、ＰＮＰトランジスタＴｒ４はＯＦＦする。被充電部１２が放電される場合には、制御用電源部１１の出力端子１１４の電位が低下するので、ＰＮＰトランジスタＴｒ４のベース端子Ｂの電位がエミッタ端子Ｅよりも低くなって、ＰＮＰトランジスタＴｒ４はＯＮする。そして、ＰＮＰトランジスタＴｒ４のＯＮ／ＯＦＦによって、ＰＮＰトランジスタＴｒ５をそれぞれＯＮ／ＯＦＦさせることができる。よって、充電時には不要な電力の発生を低減し、放電時には迅速に被充電部１２の電圧を低下させることができる。
【図面の簡単な説明】
【００５７】
【図１】第１の実施の形態で説明される、電圧変換装置を概念的に示す図である。
【図２】放充電装置の動作を、出力電圧Ｖｃ、ＮＰＮトランジスタＴｒ１，Ｔｒ２のＯＮ／ＯＦＦ及び充電電圧Ｖｔの経時変化で示す図である。
【図３】出力電圧Ｖｃが分圧される電圧変換装置を概念的に示す図である。
【図４】第２の実施の形態で説明される、電圧変換装置を概念的に示す図である。
【図５】第３の実施の形態で説明される、電圧変換装置を概念的に示す図である。
【符号の説明】
【００５８】
１  放充電装置
２  コンバータ
３  インバータ
１０  電圧変換装置
１１  制御用電源部
１２  被充電部
１１１，１１２  入力端子
１１３，１１４  出力端子
１２１，１２２  端子
Ｒ１〜Ｒ４  抵抗
Ｔｒ１，Ｔｒ２  ＮＰＮトランジスタ
Ｖｔ  直流電圧
【図１】
2007006659.tif 000003
【図２】
2007006659.tif 000004
【図３】
2007006659.tif 000005
【図４】
2007006659.tif 000006
【図５】
2007006659.tif 000007